(57)【要約】【解決手段】家具（１）の側面（４）に配置され、レバーのシステムにより扉（６）を動かすのにふさわしい、家具の扉を動かす機構（１００）であって、当該機構は、扉を開ける間に扉の重みのバランスをとるためにレバーのシステムに直接作用するばねユニット（３）を備え、ばねユニット（３０）が、枢動可能に取り付けられていて、第１のカムスロット（３６）と、家具の側面（４）について固定位置に配置された第２のカムスロット（３８）とに収容されたピン（３５）によって軸線（３７）周りに回転するように設けられた主レバー又はスラストレバー（１０）にばねユニット（３０）が直接作用する、機構（１００）。
2020517850.tif 000002
【特許請求の範囲】
【請求項１】
家具（１）の側面（４）に配置され、レバーのシステムにより扉（６）を動かすのにふさわしい、家具の扉を動かす機構（１００）であって、
当該機構は、扉を開ける間に扉の重みのバランスをとるために当該レバーのシステムに直接作用するばねユニット（３０）を備え、
ばねユニット（３０）が、枢動可能に取り付けられていて、レバー（１０）で形成されている第１のカムスロット（３６）と、家具の側面について固定位置に配置されている第２のカムスロット（３８）とに収容されたピン（３５）によって軸線（３７）周りに回転するように設けられた主レバー又はスラストレバー（１０）にばねユニット（３０）が直接作用する
ことを特徴とする、家具の扉を動かすための機構（１００）。
【請求項２】
ばねユニット（３０）は、ピン（３４）上で枢動される本体（３１）と、ピン（３５）に抑えられるスライダ（３２）との間に配置されていることを特徴とする、請求項１に記載の機構。
【請求項３】
当該ばねユニットは、それぞれのポスト又はロッド（３３）に配置される２つのばね（３０）を備え、ポスト又はロッド（３３）上でスライダ（３２）がスライドする、請求項２に記載の機構。
【請求項４】
レバー（１０）で形成されている第１カムスロット（３６）は、線形の輪郭又は曲線的輪郭を有し、固定位置に配置されている第２カムスロット（３８）は曲線的輪郭又は線形の輪郭を有することを特徴とする、先行する請求項のいずれか一項に記載の機構。
【請求項５】
第２カムスロット（３８）は、家具の側面（４）に取り付けられた板部（４０）に形成されていることを特徴とする、先行する請求項のいずれか一項に記載の機構。
【請求項６】
主レバー（１０）は２つの隣り合う部分（１０´ａ、１０´ｂ）を備え、当該部分のそれぞれはスロット（３６）が設けられ、スライダ（３２）を囲み、一対の向かい合う板部（４０）に閉じられて、板部（４０）のそれぞれにカムスロット（３８）が設けられていて、ピン（３５）が第１のスロット（３６）及び第２のスロット（３８）の一方から他方へ横切り、本体（３１）の枢動ピン（３４）は２つの板部（４０）の間に配置されていることを特徴とする、請求項２から４のいずれか一項を引用する場合の請求項５に記載の機構。
【請求項７】
ピン（３５）は、スライダ（３２）と一体化されていて、本体（３１）は枢動ピン（３４）を挿入する穴（４１）を有することを特徴とする、請求項６に記載の機構。
【請求項８】
ピン（３５）は、主レバー部（１０´ａ、１０´ｂ）のスロット（３６）及び向かい合う板部（４０）のスロット（３８）で動きが制限されていて、スライダ（３２）は、ピン（３４）に結合するノッチ（４３）を有し、本体（３１）は、枢動ピン（３４）の上に結合するノッチ（４５）を備えることを特徴とする、請求項６に記載の機構。
【請求項９】
主レバー（１０）に組み合わされる副レバー（２０）の使用を介して、扉（６）の、鉛直方向の開きから、斜めの開き方、折り畳みの開き方、ヒンジなしのフラップでの開き方、ヒンジのあるフラップでの開き方を許容する、先行する請求項のいずれか一項に記載の機構。
【請求項１０】
扉（６）を動かすために、先行する請求項のいずれか一項に記載の機構（１００）を少なくとも１つ備える家具（１）。
【発明の詳細な説明】
【技術分野】
【０００１】
本発明の目的は、家具の扉、より詳細には、しかし排他的にではなく、リフト開口部を備えたキッチン家具の扉を動かす機構である。
【背景技術】
【０００２】
キッチン家具の分野にとどまると、リフト開口部の扉は、レバーの配置と構成に応じて、以下で明らかになるように、いわゆる鉛直、斜め、折り畳み、フラップのヒンジ開口タイプとすることが可能である。通常、主レバー又はスラストレバーと副レバーで構成される。
【０００３】
さまざまなバネ機構が市販されていて、扉を持ち上げる際に補助し、扉の重さの力に対抗して、扉を全体的又は部分的に開く位置に保つ。
【０００４】
既知の機構は、扉の主レバー又はスラストレバーに作用してさまざまな位置で平衡を保つために複雑なモーションシステムと駆動機構を備えているため、コストが高いことがわかっている。
【０００５】
さらに、これらの機構のばねパックは、特定の用途ごとにセットアップ及び較正する必要があり、扉の寸法と重量に基づいたばねパックの互換性は通常は不可能である。
【発明の概要】
【発明が解決しようとする課題】
【０００６】
本発明の目的は、既知のシステムの欠点を除去することである。
【０００７】
より詳細には、本発明の目的は、部品の数が少なく、したがって製造が簡単で経済的であり、同時に非常に信頼性の高い家具の扉を動かす機構を提供することである。
【０００８】
本発明の別の目的は、実質的な変更なしに、垂直開口部、斜め開口部、折り畳み開口部、ヒンジ付き又はヒンジなしのフラップ開口部を備えた扉に使用できる移動機構を提供することである。
【０００９】
本発明のさらに別の目的は、扉の開口部のタイプとは別に、家具の側面の同じ位置に常に固定できる機構を提供することである。
【００１０】
本発明のさらなる目的は、その実施形態の１つにおいて、扉の重量の関数としてばねパックを交換する可能性を提供することである。
【課題を解決するための手段】
【００１１】
これらの目的は、添付の独立請求項１の特徴を有する本発明による家具の扉を動かす機構によって達成される。
【００１２】
本発明の有利な実施形態は、従属請求項に開示される。
【００１３】
実質的に、本発明による家具扉を移動する機構は、家具の側面に配置され、レバーのシステムにより扉を動かすのにふさわしい、家具の扉を動かすための機構であって、当該機構は、扉を開ける間に扉の重みのバランスをとるためにレバーのシステムに直接作用するばねユニットを備え、ばねユニットが、枢動可能に取り付けられていて、第１のカムスロットと、家具の側面について固定位置に配置された第２のカムスロットとに収容されたピンによって軸線周りに回転するように設けられた主レバー又はスラストレバーにばねユニット（３０）が直接作用するものである。
【００１４】
本発明のさらなる特徴は、添付の図面に示される非限定的な例として単にその実施形態の１つを参照する以下の詳細な説明によってより明確になるであろう。
【図面の簡単な説明】
【００１５】
【図１ａ】図１ａから１ｆは、本発明による扉を移動させるための装置が占める位置を平面図で概略的に示し、扉の完全な閉鎖から完全な開放までを示す。
【図１ｂ】図１ａから１ｆは、本発明による扉を移動させるための装置が占める位置を平面図で概略的に示し、扉の完全な閉鎖から完全な開放までを示す。
【図１ｃ】図１ａから１ｆは、本発明による扉を移動させるための装置が占める位置を平面図で概略的に示し、扉の完全な閉鎖から完全な開放までを示す。
【図１ｄ】図１ａから１ｆは、本発明による扉を移動させるための装置が占める位置を平面図で概略的に示し、扉の完全な閉鎖から完全な開放までを示す。
【図１ｅ】図１ａから１ｆは、本発明による扉を移動させるための装置が占める位置を平面図で概略的に示し、扉の完全な閉鎖から完全な開放までを示す。
【図１ｆ】図１ａから１ｆは、本発明による扉を移動させるための装置が占める位置を平面図で概略的に示し、扉の完全な閉鎖から完全な開放までを示す。
【図２ａ】図２ａ、ｂから図６ａ、ｂは、それぞれ斜視図及び側面図で、開位置にある扉の異なるタイプの開口を示す。
【図２ｂ】図２ａ、ｂから図６ａ、ｂは、それぞれ斜視図及び側面図で、開位置にある扉の異なるタイプの開口を示す。
【図３ａ】図２ａ、ｂから図６ａ、ｂは、それぞれ斜視図及び側面図で、開位置にある扉の異なるタイプの開口を示す。
【図３ｂ】図２ａ、ｂから図６ａ、ｂは、それぞれ斜視図及び側面図で、開位置にある扉の異なるタイプの開口を示す。
【図４ａ】図２ａ、ｂから図６ａ、ｂは、それぞれ斜視図及び側面図で、開位置にある扉の異なるタイプの開口を示す。
【図４ｂ】図２ａ、ｂから図６ａ、ｂは、それぞれ斜視図及び側面図で、開位置にある扉の異なるタイプの開口を示す。
【図５ａ】図２ａ、ｂから図６ａ、ｂは、それぞれ斜視図及び側面図で、開位置にある扉の異なるタイプの開口を示す。
【図５ｂ】図２ａ、ｂから図６ａ、ｂは、それぞれ斜視図及び側面図で、開位置にある扉の異なるタイプの開口を示す。
【図６ａ】図２ａ、ｂから図６ａ、ｂは、それぞれ斜視図及び側面図で、開位置にある扉の異なるタイプの開口を示す。
【図６ｂ】図２ａ、ｂから図６ａ、ｂは、それぞれ斜視図及び側面図で、開位置にある扉の異なるタイプの開口を示す。
【図７】図７は、組み立てられた状態で示された本発明による装置の第１の実施形態の不等角投影図である。
【図８】図８は、組み立てのモードを示す図７の装置の拡大図である。
【図９】図９は、第２の実施形態における、組み立てられた状態で示された本発明による装置の不等角投影図である。
【図１０ａ】図１０ａ、ｂ、ｃは、図９の装置のアセンブリを示す不等角投影図である。
【図１０ｂ】図１０ａ、ｂ、ｃは、図９の装置のアセンブリを示す不等角投影図である。
【図１０ｃ】図１０ａ、ｂ、ｃは、図９の装置のアセンブリを示す不等角投影図である。
【図１１ａ】図１１ａ、ｂ、ｃ、ｄは、図９の装置のアセンブリを示す一連の平面図である。
【図１１ｂ】図１１ａ、ｂ、ｃ、ｄは、図９の装置のアセンブリを示す一連の平面図である。
【図１１ｃ】図１１ａ、ｂ、ｃ、ｄは、図９の装置のアセンブリを示す一連の平面図である。
【図１１ｄ】図１１ａ、ｂ、ｃ、ｄは、図９の装置のアセンブリを示す一連の平面図である。
【図１１ｅ】図１１ｅは、図９の装置のアセンブリを示す一連の平面図である。
【図１２】図１２は、図１ｄと同様の図で、装置の力の図を示す。
【発明を実施するための形態】
【００１６】
ここでは、以下必要に応じて再度参照され得る図２から図６の１つを参照するが、それらの図面は、全体として参照番号１で示された台所の家具を示す。家具１は、下部棚又は壁２、上部棚又は壁３、２つの側壁又は側面４、で構成された固定的な外枠を備える。それらの１つは参照番号１００で示される本発明による装置を示すために取り外される。家具１は正面に扉６を有していて、ここで検討されるものはリフト型であり、下降位置では家具の内部室７を閉じる。
【００１７】
移動機構１００は、以下でより明確にされるように、主レバー又はスラストレバー１０及び二次レバー２０を備え、それらの構成及び配置は、以下で簡単に述べる扉６の開け方の異なる態様を決定する。
【００１８】
主レバー又はスラストレバー１０は、開放段階の間、各位置での扉６の重量による応力のバランスを取るのに役立つ。ここで図１を参照して、本発明による扉を動かすための機構の機能の原理について説明し、その構造を図７から図１１を参照してより詳細に説明する。
【００１９】
機構１００は、図示の実施形態では、本体３１とスライダ３２との間にて圧縮状態で作用する２つのバネ３０を備えるバネユニットによって構成される弾性手段を備える。スライダ３２は、一対のポスト又はロッド３３上でスライドし、ばね３０が取り付けられている。
【００２０】
本体３１は、ピン３４の周りを旋回できるように取り付けられ、一方、スライダ３２は、図示の実施形態では主レバー１０に形成された直線型であるスロット３６に挿入されたピン３５を担持する。
【００２１】
添付の図面では、レバー１０は、互いにしっかりと接続された２つの部分１０′、１０″で示されているが、単一部品として作製してもよいことは明らかである。
【００２２】
レバー１０はピン３７上で枢動し、ピン３７の周りのその旋回は、ばねユニット３０の作用の下で、スロット３６内のスライダ３２のピン３５のスライドにより許容される。レバー１０の角度位置により、ばねユニット３０は、その回転を補助又は抑え、本体３１とともに懸架ピン３４の周りを旋回する。
【００２３】
矢印がばねの推力Ｆと扉の重量Ｐを示す図１２の力の図において、ｂで示されたレバースパンの差は、曲線的輪郭の第２スロット３８によって決定される。第２スロット３８は、家具の側面と一体であり、ピン３５も挿入されている。
【００２４】
スロット３８の輪郭は、したがって、主レバー１０上のばねユニット３０のスパンｂ及びスラスト角の変化を可能にし、したがって、扉の重量による応力Ｐのバランスをとるために、後者に正確なモーメントを生成する。
【００２５】
２つのスロット３６、３８は、したがって、カムとして機能し、図示のものとは異なる輪郭を持ってもよく、特に、主レバー１０に形成されたスロット３６は、扉の開き方の異なる型式を最適化可能にするため、非線形であり得る。そのことは、図２から図６を参照して以下に簡単に説明する。同様に、家具アイテムの側面と一体のスロット３８は、曲線状ではなく直線状の輪郭を有してもよい。
【００２６】
図１に戻ると、家具の外枠の側面４の上部に配置された移動機構１００の、扉６を開ける間の一連の位置が示されている。
【００２７】
図１ａでは、扉の完全な閉鎖位置に対応して、主レバー１０は、０°として示す角度で鉛直方向に向けられている。この状況において、ばねユニット３０は、扉を開けるのに対抗する力、すなわち、主レバー１０の反時計回り方向の回転に力を加えるような方向に向いている。
【００２８】
図１ｂは、枢軸３７を中心に１８°の角度で反時計回りに回転した主レバー１０を示し、その一方で、本体３１とばねユニット３０とは、ピン３４を中心に時計回りにわずかに回転している。この位置は、ばねユニット３０が主レバー１０と完全に整列し、推力もレバー１０の回転に対する抵抗も作用しない死点状態に対応する。
【００２９】
図１ｂの死点位置に取って代わって、ばねユニット３０の力によって決定されるレバースパンｂは増加し始め、図示の実施形態（図１ｆ）では１４０°の角度に対応する完全に開いた位置に到達するまで、扉を持ち上げるのを助ける。
【００３０】
ばね３０の推力の変動は、家具の側面に対して固定位置に設けられたカムスロット３８の輪郭によって決定される。
【００３１】
扉を閉じる逆の操作では、反対のことが起こる。図１ｆの完全に開いた位置から始まり、ばね３０は、図１ｂの死点位置まで徐々に減少する抵抗を、主レバー１０の時計回り方向の回転、したがって扉６の下降に対して提供する。その後、正の推力を加え、扉を図１ａの閉じている位置に戻す。
【００３２】
ここで図７及び図８を参照して、移動機構１００の第１の実施形態の構造について、前の図面の説明で既に導入された参照番号を可能な限り使用して、少し詳細に説明する。
【００３３】
主レバー又はスラストレバー１０、すなわち、実施形態では、図面に示された他の１つと一体に作られた２つの部分の最も内側の部分１０´は、実際には、互いに隣り合う２つの部分１０′ａ、１０´ｂで作られていて、これらの部品の間に形成されたスロット３６にピン３５が挿入された状態で、スライダ３２をそれらの間で囲む。
【００３４】
本体３１、ばね３０、スライダ３２、及び主レバー１０によって構成されるアセンブリは、一対の対向する板部４０の間に囲まれ、各板部４０には、ピン３５を格納するためのスロット３８が形成されている。それにより、組み立てに続いて、例えば家具の側面に形成された適切な穴に挿入されるねじによって、家具アイテムの側面４に取り付けられるように、箱５０が平らな平行六面体形状で形成される。
【００３５】
図７及び８の実施形態では、カムスロット３６、３８に収容されたピン３５は、ばねユニット３０が作用するスライダ３２によって担持され、その一方で、本体３１は、枢動ピン３４に挿入するための穴４１を有する。
【００３６】
組み立て中、ばねユニットは、後で取り除かれる停止部４７によってわずかに圧縮された状態に保たれる。
【００３７】
そのような実施形態は、ばねユニットの交換可能性を許容しない。
【００３８】
図９及び図１０に示される実施形態は、装置１００を扉の重量に適合させるためにばねユニット３０の容易な交換を可能にするという事実により、前述のものとは異なる。この実施形態によれば、図１０ａ、図１０ｂ、図１０ｃに示すように、ピン３５は、スライダ３２から拘束されてなく、図示のように、組立段階で主レバー１０の２つの部分１０’ａ及び１０’ｂと２つの板部４０との間のスロット３６及び３８に配置される。
【００３９】
スライダ３２は、ばね３０とは反対側に、ピン３５に挿入されるＵ字形のノッチ４３を有する。
【００４０】
別のＵ字形のノッチ４５が、再びバネ３０とは反対側に本体３１に設けられ、代わりに枢動ピン３４に挿入される。
【００４１】
図１１ａから図１１ｅの一連の図は、ばねユニット３０の組立順序をより明確に示し、ばね３３とスライダ３２が設けられているポスト３３の１つに配置されたストッパ４７によって本体３１とスライダ３２の間でわずかに圧縮されている。
【００４２】
ばねユニットは、板部４０の間に挿入され、ピン３５をスライダ３２のノッチ４３に収容し、ユニットを図１１ｂの矢印Ｆ１の方向に押す。続いて、ユニットは、矢印Ｆ２に示されるように時計回りに回転されて、本体３１に形成されたノッチ４５をピン３４の位置に持って行く（図１１ｃ）。
【００４３】
図１１ｄの矢印Ｆ３に示されるように、レバーは時計回り方向に下向きに回転され、矢印Ｆ４に示されるように本体３１を持ち上げ、その結果、ノッチ４５にピン３４が収容される。
【００４４】
最後に、ばね止め４７が取り外され、ばね３０の伸びを引き起こし、その結果、レバー１０が反時計回り方向に回転する。
【００４５】
本発明による機構１００を、扉の異なる重量に適合させる必要がある場合、ばねユニットは、前述の動作を逆の順序で実行して、容易に交換可能である。
【００４６】
図２から図６は、主レバー１０及び副レバー２０の異なる構成及び配置によってのみ決定される、本発明による移動装置１００を備えた、扉６の開き方の異なるタイプの移動を示す。
【００４７】
図２は、鉛直な開き方を持つ扉を示していて、主レバー１０と副レバー２０は互いにほぼ平行であり、扉６を箱５０に接続する一種の連結式の平行四辺形を形成している。
【００４８】
図３は、開いた位置の鉛直線に対して斜めに形成された斜めの開き方を持つ扉を示す。この場合、扉６を装置の箱５０に接続するレバー１０及び２０は、扉の方向に分岐する。
【００４９】
図４は、いわゆる折り畳み式の開き方を示し、扉６は２つの半扉６´、６”に分割されていて、主レバー１０は、２つの半扉間に配置される副レバー２０´、２０”、２０′″のシステムに作用する。
【００５０】
図５は、ヒンジのないフラップの開き方を持つ扉を示す。この場合、装置１００の箱５０は、先行する態様と対比すると、ひっくり返されて取り付けられ、主レバー１０と副レバー２０は逆の位置にある。
【００５１】
図６は、ヒンジ付きのフラップの開き方を持つ扉を示す。この場合、副レバー２０は、それが関節運動する主レバー１０の延長部を構成し、扉６は、家具の外枠の上部で蝶番式に取り付けられている。
【００５２】
扉６の移動のために、家具の側面に取り付けられた単一の装置１００としてもよく、又は両側に取り付けられた２つの装置を設けてもよい。
【００５３】
本発明による移動装置の箱５０は、扉の開き方とは別に、再び同じ穴を通して家具の側面４に取り付けられている。
【００５４】
開示されたものから、本発明による家具扉を移動させる装置の利点は明らかであり、これは、ダブルカムスロットに挿入されたピンによって主スラストレバーに直接ばねユニットを作用させることにより、扉の重量のバランスを可能にする。
【００５５】
さらに、本発明の一実施形態では、ばねユニットは、扉の重量に応じて容易に交換可能である。
【００５６】
当然ながら、本発明は、前述の、添付の図面に示した特定の実施形態に限定されるものではないが、当業者の理解の範囲内で、本発明の範囲から逸脱することなく、添付の請求項によって定義されて、数多くの詳細な変更がなされてもよい。
【図１ａ】
2020517850.tif 000003
【図１ｂ】
2020517850.tif 000004
【図１ｃ】
2020517850.tif 000005
【図１ｄ】
2020517850.tif 000006
【図１ｅ】
2020517850.tif 000007
【図１ｆ】
2020517850.tif 000008
【図２ａ】
2020517850.tif 000009
【図２ｂ】
2020517850.tif 000010
【図３ａ】
2020517850.tif 000011
【図３ｂ】
2020517850.tif 000012
【図４ａ】
2020517850.tif 000013
【図４ｂ】
2020517850.tif 000014
【図５ａ】
2020517850.tif 000015
【図５ｂ】
2020517850.tif 000016
【図６ａ】
2020517850.tif 000017
【図６ｂ】
2020517850.tif 000018
【図７】
2020517850.tif 000019
【図８】
2020517850.tif 000020
【図９】
2020517850.tif 000021
【図１０ａ】
2020517850.tif 000022
【図１０ｂ】
2020517850.tif 000023
【図１０ｃ】
2020517850.tif 000024
【図１１ａ】
2020517850.tif 000025
【図１１ｂ】
2020517850.tif 000026
【図１１ｃ】
2020517850.tif 000027
【図１１ｄ】
2020517850.tif 000028
【図１１ｅ】
2020517850.tif 000029
【図１２】
2020517850.tif 000030
【国際調査報告】
2020517850.tif 000031
2020517850.tif 000032